(57)【要約】【課題】ファンユニットに装着されているファンの交換作業が容易になるとともに、ファンの交換時に、ねじや塵埃などの異物が主回路部に入るのを防止する。【解決手段】筐体２０の上部空間に複数のファン２８，３０を装着したファンユニット２７を収納し、筐体の下部空間に発熱部品を含む主回路部５を収納し、筐体の前面で開口する開口部をカバーで閉塞してなるインバータ装置である。筐体内部には、上部空間及び下部空間を仕切り、通気穴２５ａを形成した仕切り板２５を配置するとともに、上部空間を閉塞する上部カバー２１及び下部空間を閉塞する下部カバー２２を備えている。【選択図】図２
2010098858.tif 000002
【特許請求の範囲】
【請求項１】
筐体の上部空間に複数のファンを装着したファンユニットを収納し、前記筐体の下部空間に発熱部品を含む主回路部を収納し、前記筐体の前面で開口する開口部を着脱自在なカバーで閉塞してなるインバータ装置において、
前記筐体内部に、前記上部空間及び前記下部空間を仕切り、通気穴を形成した仕切り板を配置するとともに、前記カバーを、前記上部空間側の前記開口部を閉塞する上部カバーと、前記下部空間側の前記開口部を閉塞する下部カバーとで構成したことを特徴とするインバータ装置。
【請求項２】
前記仕切り板は、前記上部カバーを外して前記ファンユニットを前記上部空間側の前記開口部に引き出す際に、前記ファンユニットの下面がスライド移動するレールとして機能することを特徴とする請求項１記載のインバータ装置。
【請求項３】
前記ファンユニットを前記上部空間側の前記開口部に引き出す際に、前記仕切り板上に前記通気穴を閉塞するシールプレートを配置することを特徴とする請求項１又は２記載のインバータ装置。
【請求項４】
前記仕切り板の前記開口部側に、前記ファンユニットの電源ハーネスを中継するオス型及びメス型の中継コネクタの一方を固定するコネクタ固定部を一体に形成したことを特徴とする請求項１又は３の何れか１項に記載のインバータ装置。
【請求項５】
前記コネクタ固定部に固定した前記オス型及びメス型の中継コネクタの一方の高さが、前記上部空間側の前記開口部に引き出される前記ファンユニットの下面より低位置となるように、前記コネクタ固定部を、前記仕切り板に対して低い位置に折り曲げて形成したことを特徴とする請求項４記載のインバータ装置。
【請求項６】
前記仕切り板の端部を、前記筐体の上下方向に延在する側板に固定したことを特徴とする請求項１乃至５の何れか１項に記載のインバータ装置。
【発明の詳細な説明】
【技術分野】
【０００１】
本発明は、ファンユニットと主回路部とを収納したインバータ装置に関する。
【背景技術】
【０００２】
電力変換装置であるインバータ装置は、制御回路や電源回路が構成されたプリント基板、半導体素子を含む主回路部、半導体素子の冷却フィンなどを備えており、またこれらを冷却するための冷却ファンを備えている。ここで、冷却ファンは交換可能であることが必要であり、そのための実装構造も種々提案されている（例えば、特許文献１参照）。
図８から図１０は、上記のような従来のインバータ装置の外観を示す斜視図である。
【０００３】
図８に示すように、このインバータ装置は、筐体１内部に主回路部及び冷却ファンが配置され、筐体１の開口部を閉塞するカバー２が複数のねじ３で固定されている。
図９及び図１０に示すように、筐体１内部には、上部にファンユニット４が配置され、ファンユニット４の下部に主回路部５が配置されている。
ファンユニット４は、ユニットケース１４に複数の冷却ファン６〜１３が装着されている。
【０００４】
そして、冷却ファン６〜１３の交換作業を行う際には、先ず、ねじ３を外してカバー２を開け（図９参照）、筐体１内部のファンユニット４を露出させる。次に、冷却ファン６〜１３へ電源を供給するための配線を固定しているねじ（不図示）及びファンユニット４を固定しているねじ１５を外す。そして、ファンユニット４を前方に引き出し（図１０参照）、冷却ファン６〜１３の交換を行う。
【０００５】
また、交換した冷却ファン６〜１３の収納は、上記と逆の手順で行う。すなわち、冷却ファン６〜１３を装着したファンユニット１４を筐体１内部に戻した後、ねじにより配線を固定するとともに、ねじ１５でファンユニット４を固定する。その後、カバー２を複数のねじ３により筐体１に固定する。なお、以上の各構成部品の取り外し及び固定は、ドライバなど所定の工具を用いて行う。
【特許文献１】特開２００７−３２５３８３号公報
【発明の開示】
【発明が解決しようとする課題】
【０００６】
しかし、上述した従来のインバータ装置は、筐体１内部の上部に配置したファンユニット４と下部に配置した主回路部５の間を仕切る部材が存在しないので、筐体１内部からファンユニット４を引き出す際に、長年の使用で冷却ファン６〜１３に堆積している塵埃が主回路部５側に落ちてしまい、清掃作業が必要となったり、清掃作業が不完全なために塵埃の付着によって主回路部５が絶縁不良、発火などの問題を引き起こすおそれがある。
【０００７】
また、ファンユニット４を前方に引き出す際にはユニット重量を作業者が支えなければならず、冷却ファンの個数が多い大容量のインバータ装置になると作業者の負担が高くなる。
また、筐体１内部のファンユニット４と主回路部５の間を仕切る部材が存在しない従来のインバータ装置は、内部攪拌用の冷却ファン１０〜１３の排気が筐体１内部に戻ってしまうので、筐体１内部の冷却効率が低下してしまう。
【０００８】
さらに、筐体１の開口部を閉塞しているカバー２は重量物であり、ねじ止めでの固定箇所も多くなり、組み立て工数が増加するとともに、交換作業時にカバー２を外すと主回路部５が完全に露出するので、ねじや塵埃などの異物が主回路部５に入りやすい。
本発明は、このような点に鑑みてなされたものであり、ファンユニットに装着されているファンの交換作業が容易になるとともに、ファンの交換時に、ねじや塵埃などの異物が主回路部に入るのを防止することができるインバータ装置を提供することを目的とする。
【課題を解決するための手段】
【０００９】
上記目的を達成するために、請求項１に係るインバータ装置は、筐体の上部空間に複数のファンを装着したファンユニットを収納し、前記筐体の下部空間に発熱部品を含む主回路部を収納し、前記筐体の前面で開口する開口部を着脱自在なカバーで閉塞してなるインバータ装置において、前記筐体内部に、前記上部空間及び前記下部空間を仕切り、通気穴を形成した仕切り板を配置するとともに、前記カバーを、前記上部空間側の前記開口部を閉塞する上部カバーと、前記下部空間側の前記開口部を閉塞する下部カバーとで構成した。
【００１０】
この発明によると、上部空間側の開口部にファンユニットを引き出す際に、主回路部を収納する下部空間との間が仕切り板で仕切られているので、長年の使用でファンに堆積している塵埃が主回路部側に落ちにくくなり、清掃作業を低減することができる。また、ファンユニットを固定していたねじ等も主回路部に落ちにくくなる。
そして、ファンユニットを収納している上部空間を覆う上部カバーは小型で軽量であり、この上部カバーの着脱動作を容易に行うことができるとともに、交換作業時に上部カバーを外しても、筐体の下部空間に配置されている主回路部は下部カバーに覆われて外部に露出しないので、ねじや塵埃などの異物が主回路部に入り難くなる。
【００１１】
また、請求項２記載の発明は、請求項１記載のインバータ装置において、前記仕切り板は、前記上部カバーを外して前記ファンユニットを前記上部空間側の前記開口部に引き出す際に、前記ファンユニットの下面がスライド移動するレールとして機能するようにした。
この発明によると、ファンユニットを上部空間側の開口部に引き出す際に、ファンユニットは仕切り板上をスライド移動していくので、ユニット重量を作業者が支える必要がなく、ファンの個数が多い大容量のファンユニットであっても、作業者の負担を低減することができる。
【００１２】
また、請求項３記載の発明は、請求項１又は２記載のインバータ装置において、前記ファンユニットを前記上部空間側の前記開口部に引き出す際に、前記仕切り板上に前記通気穴を閉塞するシールプレートを配置するようにした。
この発明によると、シールプレートを仕切り板上に配置することで、仕切り板に形成されている全ての通気用の穴はシールプレートにより完全に閉塞されるので、ファンに堆積している塵埃や、ねじ等の部品が主回路部側に落ちるのを確実に防止することができる。
【００１３】
また、請求項４記載の発明は、請求項１又は３の何れか１項に記載のインバータ装置において、前記仕切り板の前記開口部側に、前記ファンユニットの電源ハーネスを中継するオス型及びメス型の中継コネクタの一方を固定するコネクタ固定部を一体に形成した。
この発明によると、仕切り板の前記開口部側にコネクタ固定部を設けたことで、上部カバーを外した後に、中継コネクタの着脱動作を直ぐに行うことができる。
【００１４】
また、請求項５記載の発明は、請求項４記載のインバータ装置において、前記コネクタ固定部に固定した前記オス型及びメス型の中継コネクタの一方の高さが、前記上部空間側の前記開口部に引き出される前記ファンユニットの下面より低位置となるように、前記コネクタ固定部を、前記仕切り板に対して低い位置に折り曲げて形成した。
この発明によると、ファンユニットを引き出す際には、コネクタ固定部に固定されている中継コネクタが邪魔にならないので、ファンユニットの引き出し動作を直ぐに行うことができる。
【００１５】
さらに、請求項６記載の発明は、請求項１乃至５の何れか１項に記載のインバータ装置において、前記仕切り板の端部を、前記筐体の上下方向に延在する側板に固定した。
この発明によると、ファンユニットの駆動振動が筐体の側板に伝達されても、側板は、仕切り板に固定されて振動による剛性が向上しているので、内部部品に悪影響を与える共振などを防止することができる。
【発明の効果】
【００１６】
本発明に係るインバータ装置によれば、筐体の上部空間からファンユニットを引き出す際に、主回路部を収納する下部空間との間が仕切り板で仕切られているので、長年の使用でファンに堆積している塵埃が主回路部側に落ちにくくなり、清掃作業を低減することができるとともに、ファンユニットを固定していたねじ等も主回路部に落ち難くすることができる。
【００１７】
また、従来装置のような筐体の開口部の全面を覆う大型で大重量のカバーを使用せず、ファンユニットを収納する上部空間を覆う小型で軽量な上部カバーを使用しているので、上部カバーの着脱動作を容易に行うことができるとともに、交換作業時に上部カバーを外しても主回路部が露出しないので、ねじや塵埃などの異物を主回路部に入り難くすることができる。
【発明を実施するための最良の形態】
【００１８】
以下、本発明を実施するための最良の形態（以下、実施形態という。）を、図面を参照しながら詳細に説明する。なお、図８から図１０で示した構成と同一構成部分は、同一符号を付して詳細な説明を省略する。
（第１実施形態）
図１から図４は、本発明に係る第１実施形態のインバータ装置を示すものであり、図１は第１実施形態のインバータ装置の外観を示す斜視図、図２は第１実施形態のインバータ装置の上部前面カバーを外した状態を示す図、図３は第１実施形態のインバータ装置のファンユニットを筐体内部から引き出した状態を示す図、図４（ａ）は図１のＡ−Ａ線矢視図、図４（ｂ）は第１実施形態のインバータ装置のファンユニットを筐体内部から引き出している途中の状態を示す図である。
【００１９】
本実施形態のインバータ装置は、図１及び図２に示すように、前面が開口している金属板からなる筐体２０と、筐体２０の開口部を閉塞する金属板からなる上部前面カバー２１及び下部前面カバー２２とを備えており、筐体２０を構成する天井板２３には、矩形状に開口した通気開口部２４が設けられている。
図３及び図４（ａ），（ｂ）に示すように、筐体２０内部には、内部空間を上部空間及び下部空間に仕切る仕切り板２５及びユニット支持部２６が配置されており、これら仕切り板２５及びユニット支持部２６の上部空間がファンユニット２７を収納する空間とされ、仕切り板２５の下部空間が、発熱部品を含む主回路部５（図４を参照）を収納する空間とされ、ユニット支持部２６の下部空間が、主回路部５を構成するＩＧＢＴやダイオード等の発熱部品を搭載する冷却フィン５ａを収納する空間とされている。
【００２０】
そして、ファンユニット２７を収納した上部空間に通じる筐体２０の上部開口部を上部前面カバー２１が閉塞し、主回路部５を収納した下部空間に通じる筐体２０の下部開口部を下部前面カバー２２が閉塞している。
下部前面カバー２２は、筐体２０の下部開口部の周縁に設けた当接板部（不図示）に複数のねじ２２ａをねじ込むことで、下部開口部を閉塞しながら着脱自在に固定されている。
【００２１】
上部前面カバー２１は、多数のスリット２１ａを形成した矩形板状の金属部材であり、長手方向の上部中央にねじ通過穴２１ｂが形成され、長手方向の下部両端に一対のねじ通過スリット２１ｃが形成されている。また、筐体２０の上部開口部の周縁に設けた当接板部２０ａ，２０ｂ，２０ｃには、ねじ通過穴２１ｂ及び一対のねじ通過スリット２１ｃに対応する位置にねじ穴２０ｄ，２０ｅが形成されている。そして、上部前面カバー２１は、ねじ通過穴２１ｂ及び一対のねじ通過スリット２１ｃに通過させた複数のねじ２１ｆを、当接板部２０ａ，２０ｂ，２０ｃのねじ穴２０ｄ，２０ｅにねじ込むことで、上部開口部を閉塞しながら着脱自在に固定されている。なお、多数のスリット２１ａは、排気用の穴として機能する。
【００２２】
ファンユニット２７は、図３に示すように、複数の冷却ファン２８を支持するユニットケース２９と、ユニットケース２９の前面に固定されて複数の排気ファン３０を支持するサブユニットケース３１とを備えている。ユニットケース２９及びサブユニットケース３１は、複数の排気ファン３０の下面が複数の冷却ファン２８の下面に対して下方に位置するように支持している。
【００２３】
仕切り板２５は矩形板状の金属部材であり、図３に示すように、上部空間に配置したファンユニット２７の複数の排気ファン３０に対して下方から夫々対応し、下部開口部に連通する矩形状の穴が形成されており、これら矩形状の穴は、排気ファン３０の排気用の穴２５ａとして機能する。この仕切り板２５は、詳細には図示していないが、短尺方向の両縁部に一対の折曲部が形成されており、前面側に位置する一方の折曲部が下部前面カバー２２の上縁に固定され、背面側に位置する他方の折曲部がユニット支持部２６にねじを介して固定されている。
【００２４】
また、ユニット支持部２６には、上部空間に配置したファンユニット２７の複数の冷却ファン２８に対して下方から夫々対応し、下部開口部に連通する矩形状の穴が形成されており、これら矩形状の穴は、冷却ファン２８の外気排気用の穴２６ｂである。
図４（ａ）に示すように、仕切り板２５の上面２５ｃと、ユニット支持部２６の上面２６ｃは、互いに段違いとされながら平行に延在している。
【００２５】
また、図３及び図４（ａ）に示すように、ファンユニット２７は、ユニットケース２９に支持されている各冷却ファン２８の下面の周縁部がユニット支持部２６の上面２６ｃに当接し、ねじ２７ａを、ユニットケース２９に形成したねじ通過穴２９ａを通過してユニット支持部２６に形成したねじ穴２６ａにねじ込むことで、筐体２０（ユニット支持部２６を含む）に固定されながら上部空間に配置される。ここで、図４（ａ）の筐体２０の内壁に固定されている符号３２の部材は、冷却ファン２８の下面の周縁部がユニット支持部２６の上面２６ｃに当接しているユニットケース２９を、弾性変形によりユニット支持部２６側に押圧支持する弾性支持部材である。また、ファンユニット２７は、ねじ２７ａを外すことで、筐体２０の上部開口部に向けて前後方向にスライド可能とされている。
【００２６】
上記構成のインバータ装置のファンユニット２７は、図１に示すように冷却ファン２８を駆動して筐体２０の下面及び下方側面から導入した外気が冷却フィン５ａを通過して熱交換を行い、外気排気用の孔２６ｂを介して通気開口部２４から排出されるとともに、排気ファン３０の駆動による筐体２０内部空気の吸引動作により、下部空間の主回路部５側に存在する高温空気を、排気用の穴２５ａ、排気ファン３０を通過して上部空間に導入し、上部空間から上部前面カバー２１に形成した多数のスリット２１ａを通過させて外部に排出する。
【００２７】
次に、本実施形態のインバータ装置における冷却ファン２８及び排気ファン３０の交換手順について、図４（ａ），（ｂ）を参照しながら説明する。
先ず、複数のねじ２１ｆを外すことで、筐体２０の上部開口部を閉塞している上部前面カバー２１を取り外す。次いで、複数のねじ２７ａを外すことで、筐体２０及びユニット支持部２６に対するファンユニット２７の固定状態を解除する。
【００２８】
そして、ファンユニット２７を、筐体２０の上部開口部に向けて移動していく。この際、サブユニットケース３１に支持されている排気ファン３０の固定ボルト３０ａが仕切り板２５の上面２５ｃをスライド移動していき、ユニットケース２９に支持されている冷却ファン２８の下面の周縁部がユニット支持部２６の上面２６ｃをスライド移動していく。
このため、図４（ｂ）で示すように、仕切り板２５の上面２５ｃ及びユニット支持部２６の上面２６ｃを示す太線の実線が、ファンユニット２７を引き出す際のレール面３３となり、ファンユニット２７は、レール面３３をスライド移動しながら筐体２０の前面側に引き出されていく。
【００２９】
このように、ファンユニット２７を筐体２０の前面側に引き出し、冷却ファン２８及び排気ファン３０の交換を行い、上記とは逆の手順で、交換した冷却ファン２８及び排気ファン３０を配置したファンユニット２７を、レール面３３をスライド移動させながら筐体２０の上部開口部内に配置し、弾性支持部材３２によりユニットケース２９をユニット支持部２６側に押圧した状態で、ねじ２７ａを、ユニット支持部２６のねじ穴２６ａ及び筐体２０の内壁に設けたねじ穴にねじ込む。そして、筐体２０の上部開口部を上部前面カバー２１で閉塞し、ねじ２１ｆを当接板部２０ａ，２０ｂ，２０ｃのねじ穴２０ｄ，２０ｅにねじ込んで上部前面カバー２１を筐体２０に固定することで、冷却ファン２８及び排気ファン３０の交換作業が完了する。
【００３０】
次に、本実施形態の作用効果について説明する。
本実施形態によると、筐体２０内部からファンユニット２７を引き出す際には、少なくともファンユニット２７を収納する上部空間と主回路部５を収納する下部空間とが仕切り板２５で仕切られているので、長年の使用で冷却ファン２８及び排気ファン３０に堆積している塵埃が主回路部５側に落ちにくくなり、清掃作業を低減することができるとともに、塵埃の付着による主回路部５の絶縁不良、発火などの問題を防止することができる。
【００３１】
また、ファンユニット２７を筐体２０の前面側に引き出す際には、ファンユニット２７が仕切り板２５の上面２５ｃ及びユニット支持部２６の上面２６ｃで構成されるレール面３３をスライド移動していくので、ユニット重量を作業者が支える必要がなく、冷却ファン２８及び排気ファン３０の個数が多い大容量のファンユニット２７であっても、作業者の負担を低減することができる。
【００３２】
また、排気ファン３０の下方に仕切り板２５が配置されており、しかも、仕切り板２５の上方の上部空間が、ファンユニット２７のユニットケース２９によって冷却ファン２８側と仕切られているので、排気ファン３０から排出された空気が筐体２０の下部空間に戻ることがなく、筐体２０の下部空間における冷却効率が低下することがない。
また、冷却ファン２８及び排気ファン３０の交換作業を行う場合には、従来装置のような筐体の開口部の全面を覆う大型で大重量のカバーを使用せず、ファンユニット２７を収納する上部空間を覆う小型で軽量な上部前面カバー２１を使用しているので、上部前面カバー２１の着脱動作を容易に行うことができるとともに、交換作業時に上部前面カバー２１を外しても、下部空間に配置されている主回路部5は下部前面カバー２２に覆われて外部に露出しないので、ねじや塵埃などの異物を主回路部５に入り難くすることができる。
このように、本実施形態は、冷却ファン２８及び排気ファン３０の交換作業が容易になり、部品点数が少なくなるとともに、冷却効率が向上し、信頼性の高いインバータ装置を提供することができる。
【００３３】
（第２実施形態）
次に、図５は、本発明に係る第２実施形態のインバータ装置の要部を示すものであり、図５（ａ）は筐体の上部空間からファンユニットを引き出した状態を示す図、図５（ｂ）は仕切り板上に配置されるシールプレートを示す斜視図である。なお、図１から図４で示した構成と同一構成部分には、同一符号を付してその説明を省略する。
【００３４】
本実施形態は、図４に示すように、筐体２０の上部空間からファンユニット２７を引き出した後に、仕切り板２５に形成されている複数の排気用の穴２５ａを閉塞するシールプレート３４が装着されている。
シールプレート３４は、複数の排気用の穴２５ａを閉塞する平板形状のシール部３４ａと、シール部３４ａから直角に折曲形成された折曲部３４ｂに設けた一対のねじ通過スリット３４ｃとを備えている。
【００３５】
本実施形態は、下部前面カバー２２を筐体２０に固定している上部のねじ２２ａを取り外し、シールプレート３４のシール部３４ａを仕切り板２５の上面２５ｃに当接することで全ての排気用の穴２５ａを閉塞し、下部前面カバー２２のねじ通過穴（不図示）にねじ通過スリット３４ｃを対応し、取り外した前記ねじ２２ａをねじ込むことで、シールプレート３４が仕切り板２５上に仮に固定される。
【００３６】
本実施形態によると、筐体２０内部からファンユニット２７を引き出す直前に、シールプレート３４を仕切り板２５上に仮に固定することで、仕切り板２５に形成されている全ての排気用の穴２５ａはシールプレート３４のシール部３４ａにより完全に閉塞されるので、冷却ファン２８及び排気ファン３０に堆積している塵埃や、ねじ等の部品が主回路部５側に落ちるのを確実に防止することができる。
【００３７】
（第３実施形態）
さらに、図６及び図７は、本発明に係る第３実施形態のインバータ装置の要部を示すものであり、図６はファンユニットを配置している筐体の上部空間の要部を示す図、図７は構造異なる仕切り板の外観形状を示す斜視図である。
図７に示すように、本実施形態の仕切り板３５は矩形板状の金属部材であり、ファンユニット２７の複数の排気ファン３０に対して下方から夫々対応し、下部開口部に連通する排気用の穴３５ａが形成されている。この仕切り板３５の長尺方向の両縁部に一対の折曲部３５ｂ、３５ｃが形成されており、筐体２０の前面側に位置する一方の折曲部３５ｂが下部前面カバー２２の上縁にねじ（不図示）を介して固定され、背面側に位置する他方の折曲部３５ｃがユニット支持部２６にねじ（不図示）を介して固定されるようになっている。この仕切り板３５の長尺方向の一方の縁部にも折曲部２５ｄが形成されており、筐体２０の側板にねじ（不図示）を介して固定されるようになっている。
【００３８】
仕切り板３５の長尺方向の他方の縁部の前面側には、排気用の穴３５ａを形成した面に対して下方位置の段差部３６ａが存在するように折り曲げられたコネクタ固定部３６が形成されている。
このコネクタ固定部３６は、段差部３６ａの端部から折り曲げて形成されている折曲部３６ｂと、段差部３６ａに形成されたコネクタ嵌合穴３６ｃとを備えている。
【００３９】
そして、図６に示すように、筐体２０の側板を通過したねじ３７が折曲部３６ｂに設けたねじ穴にねじ込まれることで、コネクタ固定部３６が筐体２０に固定されている。
段差部３６ａのコネクタ嵌合穴３６ｃには、メス型の中継コネクタ３９が嵌合されており、この中継コネクタ３９は、主回路部５の駆動部（不図示）から延在している電源ハーネス３８の先端に固定されている。ここで、中継コネクタ３９の上端は、ファンユニット２７（ユニット支持部２６）の下面に対して寸法Ｔだけ下方位置となるように設定されている。
【００４０】
そして、ファンユニット２７のユニットケース２９の前面には、冷却ファン２８の電源ハーネス４０が引き出されており、その電源ハーネス４０の先端には、メス型の中継コネクタ３９に連結するオス型の中継コネクタ４１が固定されている。
本実施形態によると、筐体２０の開口部側に、主回路部５の駆動部及び冷却ファン２８を電気的に接続する中継コネクタ３９，４１が設けられており、コネクタ固定部３６に固定されている中継コネクタ３９の上端が、ファンユニット２７の引き出しに邪魔にならないようにファンユニット２７の下面に対して下方位置に配置されているので、上部前面カバー２１を外した後に、中継コネクタ３９，４１の着脱動作、ファンユニット２７を引き出して冷却ファン２８，排気ファン３０を交換する作業を能率的に行うことができる。
【００４１】
また、例えばファンユニット２７から振動が筐体２０の側板に伝達されても、筐体２０の側板は、コネクタ固定部３６の折曲部３６ｂが固定されて振動による剛性が向上しているので、内部部品に悪影響を与える共振などを防止することができる。
【図面の簡単な説明】
【００４２】
【図１】本発明に係る第１実施形態のインバータ装置の外観を示す斜視図である。
【図２】本発明に係る第１実施形態のインバータ装置の上部前面カバーを外した状態を示す図である。
【図３】本発明に係る第１実施形態のインバータ装置のファンユニットを筐体内部から引き出した状態を示す図である。
【図４】（ａ）は図１のＡ−Ａ線矢視図、（ｂ）は本発明に係る第１実施形態のインバータ装置のファンユニットを筐体内部から引き出している途中の状態を示す図である。
【図５】（ａ）は本発明に係る第２実施形態の筐体の上部空間からファンユニットを引き出した状態を示す図、（ｂ）は仕切り板上に配置されるシールプレートを示す斜視図である。
【図６】本発明に係る第３実施形態の筐体の上部空間にファンユニットを配置している要部を示す図である。
【図７】本発明に係る第３実施形態の仕切り板の外観形状を示す斜視図である。
【図８】従来のインバータ装置の外観を示す斜視図である。
【図９】従来のインバータ装置の前面カバーを外した状態を示す図である。
【図１０】従来のインバータ装置のファンユニットを外した状態を示す図である。
【符号の説明】
【００４３】
５…主回路部、５ａ…冷却フィン、２０…筐体、２０ａ，２０ｂ，２０ｃ…当接板部、２１…上部前面カバー（上部カバー）、２１ａ…スリット、２２…下部前面カバー（下部カバー）、２５…仕切り板、２５ａ…排気用の穴（通気穴）、２５ｃ…仕切り板の上面、２５ｄ…折曲部、２６…ユニット支持部、２６ａ…ねじ穴、２６ｂ…外気排気用の穴、２６ｃ…ユニット支持部の上面、２７…ファンユニット、２７ａ…ねじ、２８…冷却ファン（ファン）、２９…ユニットケース、２９ａ…ねじ通過穴、３０…排気ファン（ファン）、３０ａ…固定ボルト、３１…サブユニットケース、３２…弾性支持部材、３３…レール面（レール）、３４…シールプレート、３４ａ…シール部、３４ｂ…折曲部、３４ｃ…ねじ通過スリット、３５…仕切り板、３５ａ…排気用の穴、３５ｂ，３５ｃ…折曲部、３６…コネクタ固定部、３６ａ…段差部、３６ｂ…折曲部、３６ｃ…コネクタ嵌合穴、３７…ねじ、３８，４０…電源ハーネス、３９，４１…中継コネクタ、４０…電源ハーネス、４１…中継コネクタ
【図１】
2010098858.tif 000003
【図２】
2010098858.tif 000004
【図３】
2010098858.tif 000005
【図４】
2010098858.tif 000006
【図５】
2010098858.tif 000007
【図６】
2010098858.tif 000008
【図７】
2010098858.tif 000009
【図８】
2010098858.tif 000010
【図９】
2010098858.tif 000011
【図１０】
2010098858.tif 000012